(57)【要約】【課題】撮影者が被写体を容易に探すことができる。【解決手段】被写体を撮影する撮影装置１０であって、当該撮影装置１０は、被写体が所持する発信機から発信される電磁波を受信する受信手段４４と、受信手段４４が受信した電磁波に基づき、撮影装置１０を基準とした被写体の方向を特定する特定手段４６と、特定手段４６が特定した方向を報知する報知手段５０と、を備える。【選択図】図３
2019139122.tif 000002
【特許請求の範囲】
【請求項１】
被写体を撮影する撮影装置であって、
前記被写体が所持する発信機から発信される電磁波を受信する受信手段と、
前記受信手段が受信した電磁波に基づき、前記撮影装置を基準とした前記被写体の方向を特定する特定手段と、
前記特定手段が特定した方向を報知する報知手段と、
を備える撮影装置。
【請求項２】
前記被写体が前記撮影装置の撮影範囲内か否かを判定する判定手段を更に備え、
前記報知手段は、前記判定手段が否定判定した場合に前記方向を報知し、前記判定手段が肯定判定した場合に前記被写体が前記撮影範囲内であることを報知する、
請求項１に記載の撮影装置。
【請求項３】
前記撮影装置の撮影範囲内にあるものを画像として表示する表示手段と、
前記表示手段に表示される画像の中において前記被写体の位置を明示する明示手段と、
を更に備える請求項１又は２に記載の撮影装置。
【請求項４】
前記受信手段は、前記被写体が所持する端末装置から発信される衛星測位システムに基づく位置情報を更に受信し、
前記特定手段は、前記受信手段が前記発信機からの電磁波を受信していない場合には、前記位置情報に基づき、前記被写体の方向を特定する、
請求項１乃至３の何れか１項に記載の撮影装置。
【請求項５】
被写体を撮影する撮影装置に対し、
前記被写体が所持する発信機から発信される電磁波を受信する受信手段、
前記受信手段が受信した電磁波に基づき、前記撮影装置を基準とした前記被写体の方向を特定する特定手段、
前記特定手段が特定した方向を報知する報知手段、
として機能させるためのプログラム。
【発明の詳細な説明】
【技術分野】
【０００１】
本発明は、撮影装置及びプログラムに関する。
【背景技術】
【０００２】
従来から、被写体を撮影する撮影装置が知られている。
【０００３】
これに関し、特許文献１には、衛星測位システムによる位置情報等に基づき、被写体の方向を検出し、被写体の方向を示す情報を表示する撮影装置が開示されている。
【先行技術文献】
【特許文献】
【０００４】
【特許文献１】特開２０１３−２５１７９６号公報
【発明の概要】
【発明が解決しようとする課題】
【０００５】
しかしながら、衛星測位システムによる位置情報では、被写体の正確な方向を検出することはできない。正確な方向を検出できなければ、例えば被写体と同種のものが被写体周辺に多数存在する場合、撮影者が、それらの中から被写体を探し出すことは困難であった。
【０００６】
本発明はこのような課題に鑑みてなされたものであり、その目的は、撮影者が被写体を容易に探すことができる撮影装置及びプログラムを提供することにある。
【課題を解決するための手段】
【０００７】
上記課題を解決するために、一態様に係る撮影装置は、被写体を撮影する撮影装置であって、前記被写体が所持する発信機から発信される電磁波を受信する受信手段と、前記受信手段が受信した電磁波に基づき、前記撮影装置を基準とした前記被写体の方向を特定する特定手段と、前記特定手段が特定した方向を報知する報知手段と、を備える。
【０００８】
上記態様によれば、撮影装置を基準とした被写体の方向が報知されるので、その報知を受けた撮影者は、被写体の方向を把握できるので、その方向に撮影装置を向けることで、被写体を容易に探すことができる。
【発明の効果】
【０００９】
本発明によれば、撮影者が被写体を容易に探すことができる。
【図面の簡単な説明】
【００１０】
【図１】本実施形態に係る撮影システムの全体構成の一例を示す図である。
【図２】図１に示す撮影装置のハードウェア構成の一例を示す図である。
【図３】図２に示す撮影装置の機能手段の一例を示す図である。
【図４】図３に示す各機能手段が実行する処理の流れの一例を示す図である。
【図５】撮影装置におけるディスプレイ側の面の一例を示す図であって、（Ａ）は、ディスプレイ側の面に設けられたランプの発光の一例を示す図である、（Ｂ）は、ディスプレイに表示される画像に付されたマークの一例を示す図である。
【発明を実施するための形態】
【００１１】
以下、添付図面を参照しながら本発明の実施形態（以下、「本実施形態」と称す。）について説明する。説明の理解を容易にするため、各図面において同一の構成要素及びステップに対しては可能な限り同一の符号を付して、重複する説明は省略する。
【００１２】
＜全体構成＞
図１は、本実施形態に係る撮影システム１の全体構成の一例を示す図である。
【００１３】
図１に示すように、本実施形態に係る撮影システム１は、撮影装置１０と、発信機１２と、を備える。
【００１４】
撮影装置１０は、撮影者が所持するものである。この撮影装置１０は、撮影範囲Ｒ内の物体を撮影する。本実施形態では、物体は人物Ｐであり、撮影装置１０は、複数の人物Ｐの中から特定の被写体Ｏを撮影する。
【００１５】
発信機１２は、被写体Ｏが所持するものである。本実施形態では、発信機１２は、被写体Ｏの衣服や帽子、腕等に取り付けられる。この発信機１２は、赤外線やブルートゥース（登録商標）等の無線を発信する。
【００１６】
＜ハードウェア構成＞
図２は、図１に示す撮影装置１０のハードウェア構成の一例を示す図である。
【００１７】
図２に示すように、撮影装置１０は、ＣＰＵ（Central  Processing  Unit）２０と、カメラ２２と、メモリ２４と、ディスプレイ２６と、ボタン２８と、受信装置３０と、電子コンパス３２と、ランプ３４等の構成を主に備える。
【００１８】
ＣＰＵ２０は、撮影装置１０の各構成を制御するものである。このＣＰＵ２０は、所定のプログラムを実行することにより、各種の機能手段として機能する。この機能手段の詳細については後述する。
【００１９】
カメラ２２は、被写体Ｏを撮影するものである。このカメラ２２は、ズーム倍率を変更するためのズーム機能および焦点距離を調整するためのフォーカス機能などを有する。カメラ２２は、例えばＣＣＤ（Charge  Coupled  Device）方式、ＣＭＯＳ（Complementary  Mental  Oxide  Semiconductor）方式その他の方式により実現される。
【００２０】
メモリ２４は、ＣＰＵ２０における処理の実行に必要な各種プログラムや各種の情報、及び処理結果の情報を記憶するものである。
【００２１】
ディスプレイ２６は、カメラ２２の撮影範囲Ｒ内に映る背景や人物Ｐ等を画像として表示するものである。
【００２２】
ボタン２８は、撮影装置１０の各種構成を撮影者が操作するためのものである。
【００２３】
受信装置３０は、赤外線等の電磁波を受信するものである。本実施形態では、受信装置３０は、発信機１２から発信される電磁波を受信する。
【００２４】
電子コンパス３２は、地球の磁気を感知して撮影装置１０の向きを検出するものである。この電子コンパス３２は、取得した撮影装置１０の向きをＣＰＵ２０に入力する。
【００２５】
ランプ３４は、撮影装置１０の左右に設けられており、被写体の方向Ｏを光で示すものである。
【００２６】
＜機能手段＞
図３は、図２に示す撮影装置１０の機能手段の一例を示す図である。
【００２７】
図３に示すように、撮影装置１０は、機能手段として例えば、撮影手段４０と、表示手段４２と、受信手段４４と、特定手段４６と、判定手段４８と、報知手段５０と、調整手段５２と、明示手段５４と、を備える。受信手段４４は、ＣＰＵ２０や受信装置３０等で実現される。その他の機能手段は、メモリ２４に格納されているプログラムをＣＰＵ２０が実行することにより実現される。
【００２８】
受信手段４４は、被写体Ｏが所持する発信機１２から発信される電磁波を受信する機能手段である。
【００２９】
特定手段４６は、例えば、受信手段４４が受信した電磁波と、電子コンパス３２により得られた撮影装置１０の向きに基づき、撮影装置１０を基準とした被写体Ｏの方向を特定する機能手段である。
【００３０】
判定手段４８は、被写体Ｏが撮影装置１０の撮影範囲Ｒ内か否かを判定する機能手段である。
【００３１】
報知手段５０は、判定手段４８が否定判定した場合に特定手段４６が特定した方向を報知し、判定手段４８が肯定判定した場合に被写体Ｏが撮影範囲Ｒ内であることを撮影者に報知する機能手段である。報知の方法としては、ランプ３４を発光したり、ディスプレイ２６で表示したり、不図示のスピーカで出力したりする方法が挙げられる。
【００３２】
調整手段５２は、受信手段４４が受信した電磁波の強度又は／及び電磁波に含まれる被写体Ｏの位置情報等に基づき、撮影装置１０と被写体Ｏとの間の距離を算出し、算出した距離に基づき、被写体Ｏにピントが合うようにフォーカスを調整する機能を有する。
【００３３】
明示手段５４は、表示手段４２に表示される画像の中において被写体Ｏの位置を明示する機能を有する。明示する方法としては、被写体Ｏ自身又はその周囲にマークを表示したり、被写体Ｏ自身又はその周囲を強調したりする方法が挙げられる。
【００３４】
図４は、図３に示す各機能手段が実行する処理の流れの一例を示す図である。この処理は、定期的又はランダムに繰り返される。なお、以下のステップの順番は、適宜、変更することができる。
【００３５】
（ステップＳＰ１０）
受信手段４４は、被写体Ｏが所持する発信機１２から発信される電磁波を受信する。そして、処理は、ステップＳＰ１２の処理に移行する。
【００３６】
（ステップＳＰ１２）
特定手段４６は、受信手段４４が受信した電磁波と、電子コンパス３２による撮影装置１０の向きに基づき、撮影装置１０を基準とした被写体Ｏの方向を特定する。そして、処理は、ステップＳＰ１４の処理に移行する。
【００３７】
（ステップＳＰ１４）
判定手段４８は、例えば特定手段４６が特定した被写体Ｏの方向に基づき、被写体Ｏが撮影装置１０の撮影範囲Ｒ内か否かを判定する。例えば、判定手段４８は、被写体Ｏの方向が正面方向であれば肯定判定し、それ以外の方向であれば否定判定する。当該判定が肯定判定の場合には処理はステップＳＰ１８の処理に移行し、否定判定の場合には処理はステップＳＰ１６の処理に移行する。
【００３８】
（ステップＳＰ１６）
報知手段５０は、特定手段４６が特定した被写体Ｏの方向を、対応するランプ３４を発光することで撮影者に報知する。例えば、被写体Ｏの方向が右方向である場合、図５（Ａ）に示すように、報知手段５０は、左右のランプ３４のうち、右側のランプ３４を発光する。図４に戻って、処理は、ステップＳＰ１０の処理に戻る。
【００３９】
（ステップＳＰ１８）
ステップＳＰ１４で肯定判定された場合、報知手段５０は、被写体Ｏが撮影範囲Ｒ内であることを報知する。そして、処理は、ステップＳＰ２０の処理に移行する。
【００４０】
（ステップＳＰ２０）
調整手段５２は、受信手段４４が受信した電磁波の強度に基づき、撮影装置１０と被写体Ｏとの間の距離を算出する。そして、処理は、ステップＳＰ２２の処理に移行する。
【００４１】
（ステップＳＰ２２）
調整手段５２は、算出した距離に基づき、カメラ２２を制御して、被写体Ｏにピントが合うようにフォーカスを調整する。そして、処理は、ステップＳＰ２４の処理に移行する。
【００４２】
（ステップＳＰ２４）
明示手段５４は、表示手段４２によって表示される画像の中において被写体Ｏの位置を明示する。例えば図５（Ｂ）に示すように、明示手段５４は、表示手段４２によって表示される画像６０において被写体Ｏの周囲にマーク６２を表示する。図４に戻って、処理は、ステップＳＰ２６の処理に移行する。
【００４３】
（ステップＳＰ２６）
調整手段５２は、算出した距離に基づき、カメラ２２を制御して、ズームする。なお、調整手段５２は、フォーカスの前にズームしてもよい。そして、処理は、ステップＳＰ２８の処理に移行する。
【００４４】
（ステップＳＰ２８）
撮影手段４０は、撮影範囲Ｒ内に存在する被写体Ｏを撮影する。
【００４５】
以上、本実施形態によれば、撮影装置１０を基準とした被写体Ｏの方向が報知されるので、その報知を受けた撮影者は、被写体Ｏの方向を把握できるので、その方向に撮影装置１０を向けることで、複数の人物Ｐの中から被写体Ｏを容易に探すことができる。
【００４６】
また、本実施形態によれば、被写体Ｏが撮影範囲Ｒ内でない場合には特定手段４６が特定した被写体Ｏの方向を報知し、被写体Ｏが撮影範囲Ｒ内である場合にはその旨を報知するので、撮影者が、複数の人物Ｐの中から被写体Ｏを一層容易に探すことができる。
【００４７】
また、本実施形態によれば、表示手段４２によって表示される画像６０の中において被写体Ｏの位置を明示するので、撮影者が、画像６０の中に複数の人物Ｐが存在しても、それらの中から被写体Ｏを容易に探すことができる。
【００４８】
＜変形例＞
なお、本発明は上記の具体例に限定されるものではない。すなわち、上記の具体例に、当業者が適宜設計変更を加えたものも、本発明の特徴を備えている限り、本発明の範囲に包含される。また、前述した実施形態及び後述する変形例が備える各要素は、技術的に可能な限りにおいて組み合わせることができ、これらを組み合わせたものも本発明の特徴を含む限り本発明の範囲に包含される。
【００４９】
例えば、上記実施形態では、被写体Ｏが発信機１２を所持する場合を説明したが、被写体Ｏが発信機１２だけでなく衛星測位システムを利用可能な携帯電話等の端末装置も所持してもよい。この場合、受信手段４４は、被写体Ｏが所持する端末装置から発信される衛星測位システムに基づく位置情報を更に受信し、特定手段４６は、受信手段４４が発信機１２からの電磁波を受信していない場合には、端末装置からの位置情報に基づき、被写体Ｏの方向を特定するようにしてもよい。この構成によれば、撮影者は、より広範囲の中から被写体Ｏを探すことができる。
【００５０】
また、上記構成に加えて、撮影装置１０は、受信手段４４が受信した電磁波に基づき、端末装置からの位置情報を補正する補正手段を更に備え、報知手段５０は、補正手段が補正した位置情報を報知してもよい。この構成によれば、被写体Ｏの位置がより正確に特定でき、撮影者は、被写体Ｏを一層容易に探すことができる。
【００５１】
また、被写体が端末装置を所持している場合には、端末装置に発信機１２を設けてもよい。
【００５２】
また、撮影装置１０は、撮影装置１０の向きを検出する電子コンパス３２を備える場合を説明したが、この構成に加えて又はこの構成の代わりに、衛星測位システムに基づく位置情報を取得する構成を備えてもよい。この場合、特定手段４６は、受信手段が受信した電磁波と、撮影装置１０の位置情報と、撮影装置１０の向きとに基づき、撮影装置１０を基準とした被写体Ｏの方向を特定してもよい。
【符号の説明】
【００５３】
１０…撮影装置
４２…表示手段
４４…受信手段
４６…特定手段
４８…判定手段
５０…報知手段
５４…明示手段
【図１】
2019139122.tif 000003
【図２】
2019139122.tif 000004
【図３】
2019139122.tif 000005
【図４】
2019139122.tif 000006
【図５】
2019139122.tif 000007